(57)【要約】      （修正有）【課題】ホールド機能を自動的にＯＮ状態とすることができる情報端末装置、入力制限方法およびプログラムを提供する。【解決手段】タッチパネルによる操作部を備える情報端末装置において、タッチパネルの所定の面積を超える、または所定の面積以上の面積に対しての入力を検出したときには、操作部への入力を特定できないと判断し、タッチパネルの入力を無効とする入力制限部を備える。あるいは、タッチパネルによる操作部を備える情報端末装置において、タッチパネルに対応して設けられる表示部に表示されるアイコンを含まないタッチパネルの部位からの入力を検出したときには、操作部への入力を特定できないと判断し、タッチパネルの入力を無効とする入力制限部を備える。【選択図】図１
2011002891.tif 000002
【特許請求の範囲】
【請求項１】
タッチパネルによる操作部を備える情報端末装置において、
上記タッチパネルの所定の面積を超える、または所定の面積以上の面積に対しての入力を検出したときには、上記操作部への入力を特定できないと判断し、上記タッチパネルの入力を無効とする入力制限部を備える、
ことを特徴とする情報端末装置。
【請求項２】
タッチパネルによる操作部を備える情報端末装置において、
上記タッチパネルに対応して設けられる表示部に表示されるアイコンを含まない上記タッチパネルの部位からの入力を検出したときには、上記操作部への入力を特定できないと判断し、上記タッチパネルの入力を無効とする入力制限部を備える、
ことを特徴とする情報端末装置。
【請求項３】
タッチパネルによる操作部を備える情報端末装置において、
上記タッチパネルに対応して設けられる表示部に表示される２以上のアイコンに対応する上記タッチパネルの部位からの並列入力を検出したときには、上記操作部への入力を特定できないと判断し、上記タッチパネルの入力を無効とする入力制限部を備える、
ことを特徴とする情報端末装置。
【請求項４】
タッチパネルによる操作部を備える情報端末装置において、
上記タッチパネルに加えられる圧力を検出する圧力センサと、
上記圧力センサが所定値以上、または所定値を超える値の圧力を検出したときには、上記操作部への入力を特定できないと判断し、上記タッチパネルの入力を無効とする入力制限部と、
を備える、
ことを特徴とする情報端末装置。
【請求項５】
請求項１から４のいずれか１項記載の情報端末装置において、
前記入力制限部は、前記タッチパネルの入力の無効状態を解除する操作を行うための前記タッチパネルの入力部位を少なくとも１ヶ所設ける、
ことを特徴とする情報端末装置。
【請求項６】
タッチパネルによる操作部を備える情報端末装置が行う上記操作部の入力制限方法において、
上記タッチパネルの所定の面積を超える、または所定の面積以上の面積に対しての入力を検出したときには、上記操作部への入力を特定できないと判断し、上記タッチパネルの入力を無効とする入力制限ステップを実行する、
ことを特徴とする入力制限方法。
【請求項７】
情報処理装置にインストールすることにより、その情報処理装置に、
請求項１から５のいずれか１項記載の情報処理装置の前記入力制限部の機能を実現する、
ことを特徴とするプログラム。
【発明の詳細な説明】
【技術分野】
【０００１】
本発明は、情報端末装置、入力制限方法およびプログラムに関する。
【背景技術】
【０００２】
タッチパネルによる操作部を有する情報端末装置は、本体において機械的スイッチまたはタッチパネル操作によるスイッチ（たとえば特許文献１参照）を用いたホールド機能を有する。
【０００３】
ここで、ホールド機能とは、ホールド機能がＯＮ状態の間は、情報端末装置の入力操作におけるホールド解除以外の入力操作を無効とするものである。このホールド機能は、特に携帯型の情報端末装置において有用な機能である。たとえば、鞄やポケットの中に携帯して用いる情報端末装置では、情報端末装置のタッチパネルが鞄やポケットの内側表面に触れてしまうことがあり、また、ユーザの移動に伴い、情報端末装置と同じ鞄やポケットに入っている他の物品などによってタッチパネルが圧迫されると情報端末装置に誤入力が行われてしまう。このような誤入力を回避するためにホールド機能は用いられる。
【０００４】
また、特許文献１の記載からも明らかなように、一般的に、ホールド機能は、ユーザの意志によりＯＮ／ＯＦＦするものである。すなわち、ユーザがホールド機能を有効にするスイッチをＯＮ状態に操作することによりホールド機能が有効になる。また、ユーザがホールド機能を有効にするスイッチをＯＦＦ状態に操作することによりホールド機能が解除される。
【先行技術文献】
【特許文献】
【０００５】
【特許文献１】特開２００４−３３４７６２号公報
【発明の概要】
【発明が解決しようとする課題】
【０００６】
上述のようなホールド機能は、携帯型の情報端末装置にとって有用な機能である。しかしながら、従来、ホールド機能は、ユーザの意志によりＯＮ／ＯＦＦするものである。このため、ユーザがホールド機能をＯＮ状態にすることを忘れて情報端末装置をポケットや鞄に入れてしまうことも起こり得る。あるいは、ユーザがホールド機能をＯＮ状態に操作することの煩わしさから故意にホールド機能をＯＮ状態にせず情報端末装置をポケットや鞄に入れてしまう場合もある。
【０００７】
このような場合には、ユーザの移動に伴い、情報端末装置のタッチパネルが鞄やポケットの内側表面に触れてしまうことがあり、また、情報端末装置と同じ鞄やポケットに入っている他の物品などによってタッチパネルなどが圧迫され、情報端末装置に誤入力が行われてしまう場合がある。
【０００８】
本発明は、このような背景の下に行われたものであって、ホールド機能を自動的にＯＮ状態とすることができる情報端末装置、入力制限方法およびプログラムを提供することを目的とする。
【課題を解決するための手段】
【０００９】
本発明の１つの観点は、情報端末装置としての観点である。すなわち、本発明の情報端末装置は、タッチパネルによる操作部を備える情報端末装置において、タッチパネルの所定の面積を超える、または所定の面積以上の面積に対しての入力を検出したときには、操作部への入力を特定できないと判断し、タッチパネルの入力を無効とする入力制限部を備えるものである。
【００１０】
あるいは、本発明の情報端末装置は、タッチパネルによる操作部を備える情報端末装置において、タッチパネルに対応して設けられる表示部に表示されるアイコンを含まないタッチパネルの部位からの入力を検出したときには、操作部への入力を特定できないと判断し、タッチパネルの入力を無効とする入力制限部を備えるものである。
【００１１】
あるいは、本発明の情報端末装置は、タッチパネルによる操作部を備える情報端末装置において、タッチパネルに対応して設けられる表示部に表示される２以上のアイコンに対応するタッチパネルの部位からの並列入力を検出したときには、操作部への入力を特定できないと判断し、タッチパネルの入力を無効とする入力制限部を備えるものである。
【００１２】
あるいは、本発明の情報端末装置は、タッチパネルによる操作部を備える情報端末装置において、タッチパネルに加えられる圧力を検出する圧力センサと、圧力センサが所定値以上、または所定値を超える値の圧力を検出したときには、操作部への入力を特定できないと判断し、タッチパネルの入力を無効とする入力制限部と、を備えるものである。
【００１３】
さらに、入力制限部は、タッチパネルの入力の無効状態を解除する操作を行うためのタッチパネルの入力部位を少なくとも１ヶ所設けることが好ましい。
【００１４】
本発明の他の観点は、入力制限方法としての観点である。すなわち、本発明の入力制限方法は、タッチパネルによる操作部を備える情報端末装置が行う操作部の入力制限方法において、タッチパネルの所定の面積を超える、または所定の面積以上の面積に対しての入力を検出したときには、操作部への入力を特定できないと判断し、タッチパネルの入力を無効とする入力制限ステップを実行するものである。
【００１５】
あるいは、本発明の入力制限方法は、タッチパネルによる操作部を備える情報端末装置が行う操作部の入力制限方法において、タッチパネルに対応して設けられる表示部に表示されるアイコンを含まないタッチパネルの部位からの入力を検出したときには、操作部への入力を特定できないと判断し、タッチパネルの入力を無効とする入力制限ステップを実行するものである。
【００１６】
あるいは、本発明の入力制限方法は、タッチパネルによる操作部を備える情報端末装置が行う操作部の入力制限方法において、タッチパネルに対応して設けられる表示部に表示される２以上のアイコンに対応するタッチパネルの部位からの並列入力を検出したときには、操作部への入力を特定できないと判断し、タッチパネルの入力を無効とする入力制限ステップを実行するものである。
【００１７】
あるいは、本発明の入力制限方法は、タッチパネルによる操作部を備える情報端末装置が行う操作部の入力制限方法において、タッチパネルに加えられる圧力を検出する圧力センサが所定値以上、または所定値を超える値の圧力を検出したときには、操作部への入力を特定できないと判断し、タッチパネルの入力を無効とする入力制限ステップを実行するものである。
【００１８】
さらに、入力制限ステップの処理として、タッチパネルの入力の無効状態を解除する操作を行うためにタッチパネルの少なくとも１ヶ所に設けられた入力部位が操作されるとタッチパネルの入力の無効状態を解除するステップを有することが好ましい。
【００１９】
本発明のさらに他の観点は、プログラムとしての観点である。すなわち、本発明のプログラムは、情報処理装置にインストールすることにより、その情報処理装置に、本発明の情報処理装置の入力制限部の機能を実現するものである。
【発明の効果】
【００２０】
本発明によれば、ホールド機能を自動的にＯＮ状態とすることができる。
【図面の簡単な説明】
【００２１】
【図１】本発明の第１の実施の形態に係る情報端末装置のブロック構成図である。
【図２】図１の情報端末装置の外観を示す図である。
【図３】図１の情報端末装置の外観を示す図であって、情報表示部およびアイコンの表示例を示す図である。
【図４】タッチパネルの所定の面積を超える、または所定の面積以上の面積に対しての入力の範囲を示す図である。
【図５】図１の制御部の動作手順を示すフローチャートである。
【図６】本発明の第２の実施の形態に係る情報端末装置の外観図であると共に、その動作を説明するための図である。
【図７】図６の情報端末装置の制御部の動作手順を示すフローチャートである。
【図８】本発明の第３の実施の形態に係る情報端末装置の外観図であると共に、その動作を説明するための図である。
【図９】図８の情報端末装置の制御部の動作手順を示すフローチャートである。
【図１０】本発明の第４の実施の形態に係る情報端末装置の要部構成図である。
【図１１】図１０の情報端末装置の制御部の動作手順を示すフローチャートである。
【発明を実施するための形態】
【００２２】
（本発明の第１の実施の形態に係る情報端末装置１の構成について）
本発明の第１の実施の形態に係る情報端末装置１の構成について図１を参照して説明する。図１は、情報端末装置１のブロック構成図である。
【００２３】
情報端末装置１は、通信部１０、センサ部１１、可搬型記憶媒体収容部１２、一時記憶部１３、音声コーデック部１４、音声入力端子１５、音声出力端子１６、データ格納部１７、ＬＣＤ(Liquid Crystal Display)表示部１８、ホールドスイッチ１９、タッチパネル２０および制御部２１により構成されている。
【００２４】
通信部１０は、情報端末装置１が無線ＬＡＮ(Local
Area Network)などによる無線通信を行うためのインタフェースである。
【００２５】
センサ部１１は、情報端末装置１の周囲の明るさを検出してＬＣＤ表示部１８またはタッチパネル２０の照明をＯＮ／ＯＦＦするための照度センサや情報端末装置１の傾きを検出してＬＣＤ表示部１８の表示の縦横を切替えるための加速度センサなどである。
【００２６】
可搬型記憶媒体収容部１２は、フラッシュメモリなどから構成されるＵＳＢ(Universal Serial Bus)メモリやメモリカードなどの可搬型記憶媒体を収容し、これらの可搬型記憶媒体から一部記憶部１３またはデータ格納部１７へのデータの読出し、あるいは、一部記憶部１３またはデータ格納部１７からＵＳＢメモリやメモリカードなどの可搬型記憶媒体へのデータの書込みを行うものである。
【００２７】
一時記憶部１３は、情報端末装置１の内部で処理されるデータや可搬型記憶媒体収容部１２を介して外部から取得したデータを一時的に記憶するものである。一時記憶部１３は、たとえばＤＲＡＭ(Dynamic Random Access Memory)により構成される。
【００２８】
音声コーデック部１４は、音声入力端子１５から入力される音声信号を符号化して制御部２１へ入力すると共に、制御部２１から出力される符号化された音声信号を復号して音声出力端子１６から出力する。
【００２９】
音声入力端子１５は、マイクロフォンからの出力や外部機器からの音声出力を入力させるための端子である。
【００３０】
音声出力端子１６は、スピーカや外部機器に向かう音声信号を出力させるための端子である。
【００３１】
データ格納部１７は、情報端末装置１の内部で処理されるデータや可搬型記憶媒体収容部１２を介して外部から取得したデータを、一時記憶部１３と比較して長期に格納できるメモリである。データ格納部１７は、たとえばＨＤＤ(Hard Disc Drive)、Ｆｌａｓｈメモリまたはメモリカードなどで構成される。
【００３２】
ＬＣＤ表示部１８は、情報端末装置１から出力される画像情報やテキスト情報を表示するためのものである。なお、ＬＣＤは一例であり、ＬＣＤに代えてＯＥＬ(Organic Electro-Luminescence)その他の表示部材を用いてもよい。
【００３３】
ホールドスイッチ１９は、情報端末装置１のホールド機能を手動によって設定または解除するためのスイッチである。図１のホールドスイッチ１９は、機械的スイッチを想定している。なお、ホールドスイッチ１９を設けずに、タッチパネル２０にホールドスイッチ１９に相当する入力部位を設けてもよい。
【００３４】
タッチパネル２０は、請求項でいう操作部に相当し、ユーザが指などで触れることにより情報端末装置１に入力を行うためのものである。また、タッチパネル２０は、ＬＣＤ表示部１８の表示画面上に設置される。これにより、ユーザは、ＬＣＤ表示部１８の表示画面上のアイコンに指などで触れることより、そのアイコンに対応して設けられたタッチパネル２０の部位を介して情報端末装置１に入力を行うことができる。
【００３５】
さらに詳細に説明すると、タッチパネル２０は、タッチパネル２０にユーザが指などで触れると、制御部２１がその触れた位置のＸ座標およびＹ座標を判定する。これにより、制御部２１は、タッチパネル２０上のタッチ位置を判定することができる。タッチパネル２０の方式は、超音波表面弾性波方式、画像認識方式、抵抗膜方式、または静電容量方式などが知られているが、ここでは、これらの如何なる方式でもよいものとする。
【００３６】
制御部２１は、請求項でいう入力制限部に相当し、情報端末装置１の各部を制御するための中央演算装置（ＣＰＵ(Central Processing Unit)またはＤＳＰ(Digital
Signal Processor)など）である。
【００３７】
（情報端末装置１の外観について）
次に、情報端末装置１の外観について図２および図３を参照して説明する。図２は、情報端末装置１の外観を示す図である。図３は、情報端末装置１の外観を示す図であって、情報表示部３０、アイコン３１の表示例を示す図である。
【００３８】
情報端末装置１は、図２に示すように、一対のＬＣＤ表示部１８とタッチパネル２０とが重なる配置となっている。図２の例では、ＬＣＤ表示部１８には、情報表示部３０とアイコン３１とが表示されている。また、機械的スイッチとしてホールドスイッチ１９が設けられている。図２の例では、情報端末装置１の下部にある４つの機械的スイッチのうち右側をホールドスイッチ１９としたが、その位置はいずれでもよい。
【００３９】
また、機械的スイッチとしてのホールドスイッチ１９を設けずに、タッチパネル２０の少なくとも１ヶ所の部位にホールドスイッチ１９に相当する入力部位を設けてもよい。また、図２に示すものと別のスイッチ（たとえば情報端末装置１の上部、側部に配置されるスイッチ）をホールドスイッチとしてもよい。
【００４０】
情報端末装置１は、図３に示すように、情報表示部３０に様々な情報を表示できる。図３の例では、情報表示部３０に時刻情報が表示されている。また、情報端末装置１は、図３に示すように、アイコン３１に様々な機能を設定できる。図３の例では、アイコン３１に、「ｍａｉｌ（電子メールの送受信機能など）」、「電話（電話の発着信機能など）」、「Ｉｎｔｅｒｎｅｔ（インターネットとの接続およびブラウジング機能など）」、「地図（ナビゲーション機能など）」、「履歴（発信履歴、着信履歴など）」、「設定（各種設定）」の機能が設定されている。また、残りのＡ〜Ｆのアイコン３１については機能が未設定であり、ユーザの要求に応じて様々な機能が設定可能であるものとする。
【００４１】
（情報端末装置１の動作について）
次に、情報端末装置１の動作について図４および図５を参照して説明する。図４は、タッチパネル２０の所定の面積を超える、または所定の面積以上の面積に対しての入力を検出したときには、タッチパネル２０の入力を無効とする例を説明するための図である。また、図５は、制御部２１の動作手順を示すフローチャートである。
【００４２】
図４の破線で囲まれた範囲４０，４１は、タッチパネル２０に対して圧力が加わっている部位を示している。タッチパネル２０がユーザの鞄やポケット内で、タッチパネル２０の面積に対して比較的面積の広い物品などによって圧迫される際に、図４のような広い範囲４０，４１に圧力が加わる。
【００４３】
範囲４０は、タッチパネル２０の全体の面積に対して、たとえば２０％以上の面積を有する。また、範囲４１は、１つのアイコン３１の面積に対して、たとえば１．３倍以上の面積を有する。図４では、範囲４０，４１を併せて図示したが、範囲４０，４１のいずれか一方のみであっても以下の説明は同じである。
【００４４】
制御部２１の動作手順を図５のフローチャートに示す。
【００４５】
ＳＴＡＲＴ：情報端末装置１の電源が投入されると、制御部２１は、ステップＳ１の処理へ移行する。
【００４６】
ステップＳ１：制御部２１は、タッチパネル２０への入力があるか否かを判断する。すなわち、制御部２１は、タッチパネル２０への入力がある場合（ステップＳ１でＹｅｓ）、ステップＳ２の処理へ移行する。一方、制御部２１は、タッチパネル２０への入力がない場合（ステップＳ１でＮｏ）、ステップＳ１の処理を繰り返し実行する。
【００４７】
ステップＳ２：制御部２１は、図４の範囲４０，４１のいずれか一方または範囲４０，４１の双方の面積の合計が所定の面積以下であるか否かを判断する。すなわち、制御部２１は、範囲４０，４１のいずれか一方または範囲４０，４１の双方の面積の合計が所定の面積以下である場合（ステップＳ２でＹｅｓ）、ステップＳ３の処理へ移行する。一方、制御部２１は、範囲４０，４１のいずれか一方または範囲４０，４１の双方の面積の合計が所定の面積を超える場合（ステップＳ２でＮｏ）、ステップＳ４の処理へ移行する。なお、ステップＳ２における「以下」を「未満」に置き換え「超える」を「以上」に置き換えてもよい。
【００４８】
ステップＳ３：制御部２１は、タッチパネル２０の入力操作を受入れて処理を終了する（ＥＮＤ）。
【００４９】
ステップＳ４：制御部２１は、タッチパネル２０の入力操作を無効とし、ステップＳ５の処理へ移行する。
【００５０】
ステップＳ５：制御部２１は、ホールド機能をＯＮ状態とし、処理を終了する（ＥＮＤ）。
【００５１】
なお、範囲４０は、タッチパネル２０の全体の面積に対して２０％以上の面積を有すると説明したが面積の値はこれに限定されない。すなわち、タッチパネル２０の全体の面積に対し、どのようにしても必ず複数のアイコン３１を含み、特定のアイコン３１への操作であることが特定できない面積とすればよい。
【００５２】
同様に、範囲４１は、１つのアイコン３１の面積の１．３倍以上の面積を有すると説明したが面積の値はこれに限定されない。すなわち、範囲４１の一部が１つのアイコン３１を含めば、必ず他のアイコン３１を含む面積とすればよい。なお、範囲４１については、ＬＣＤ表示部１８にアイコン３１が表示されていない範囲であってもよい。
【００５３】
（第１の実施の形態に係る効果について）
第１の実施の形態によれば、制御部２１は、ＬＣＤ表示部１８に表示されているアイコン３１の位置を認識する必要はなく、単に、圧力が加えられている範囲４０または範囲４１の面積のみを検出すればよい。
【００５４】
また、制御部２１は、アイコン３１の位置を認識する必要がないため、ＬＣＤ表示部１８にアイコン３１が表示されていないタッチパネル２０の部位に圧力が加えられた場合でも、その圧力が加えられている部位の面積を入力操作の無効およびホールド機能ＯＮに係る判断材料とすることができる。
【００５５】
したがって、制御部２１は、タッチパネル２０の全域を検出対象とするため、誤入力の原因となる事象が発生したときにこれを速やかに検出できる。そのため、情報端末装置１は、自動的にホールド機能をＯＮとして、上述のような入力を無効とすることができ、意図しない操作が実行されるのを防止可能となる。
【００５６】
（本発明の第２の実施の形態に係る情報端末装置１Ａについて）
本発明の第２の実施の形態に係る情報端末装置１Ａを図６および図７を参照して説明する。図６は、情報端末装置１Ａの外観図であると共に、その動作を説明するための図である。図７は、情報端末装置１Ａの制御部２１Ａ（不図示）の動作手順を示すフローチャートである。
【００５７】
なお、情報端末装置１Ａの構成は、情報端末装置１の構成と同じである。よって、情報端末装置１Ａの構成についての説明は省略する。ただし、制御部２１Ａの動作は制御部２１の動作と異なる。
【００５８】
図６の破線で囲まれた範囲５０，５１，５２は、タッチパネル２０に対して圧力が加わった部位を示している。タッチパネル２０がユーザの鞄やポケット内で、複数の比較的面積の狭い物品などによって圧迫される際に、図６のような複数の範囲５０，５１，５２に圧力が加わる。範囲５０は、ＬＣＤ表示部１８にアイコン３１が全く表示されていないタッチパネル２０の部位である。また、範囲５１，５２は、ＬＣＤ表示部１８にアイコン３１が表示されていないタッチパネル２０の部位を一部に含んでいる。
【００５９】
制御部２１Ａは、ＬＣＤ表示部１８に表示されるアイコン３１を全く含まないタッチパネル２０の部位の範囲５０、またはＬＣＤ表示部１８に表示されるアイコン３１を一部に含むがアイコン３１を含まない部位も含むタッチパネル２０の部位の範囲５１，５２からの入力を検出したときには、タッチパネル２０の入力を無効とする。すなわち、制御部２１Ａは、ＬＣＤ表示部１８に表示されるアイコン３１に対応するタッチパネル２０の部位を含まないタッチパネル２０の部位からの入力を検出したときには、タッチパネル２０の入力を無効とする。
【００６０】
制御部２１Ａの動作手順を図７のフローチャートを参照して説明する。なお、図５のフローチャートと同一の動作手順（ＳＴＡＲＴ，ステップＳ１，Ｓ３，Ｓ４，Ｓ５）については説明を省略する。
【００６１】
ステップＳ１０：制御部２１Ａは、ＬＣＤ表示部１８に表示されるアイコン３１を含まないタッチパネル２０の部位からの入力の有無を判断する。すなわち、制御部２１Ａは、ＬＣＤ表示部１８に表示されるアイコン３１を含まないタッチパネル２０の部位からの入力が無い場合（ステップＳ１０でＹｅｓ）、ステップＳ３の処理へ移行する。一方、制御部２１Ａは、ＬＣＤ表示部１８に表示されるアイコン３１を含まないタッチパネル２０の部位からの入力が有る場合（ステップＳ１０でＮｏ）、ステップＳ４の処理へ移行する。
【００６２】
このように、制御部２１Ａの動作では、ＬＣＤ表示部１８に表示されるアイコン３１の位置を認識するところが、制御部２１の動作と異なる。
【００６３】
（第２の実施の形態に係る効果について）
第２の実施の形態によれば、制御部２１Ａは、ＬＣＤ表示部１８に表示されるアイコン３１の位置を認識し、ＬＣＤ表示部１８に表示されるアイコン３１を含まないタッチパネル２０の部位からの入力を入力操作の無効およびホールド機能ＯＮに係る判断材料とする。
【００６４】
このため、制御部２１Ａは、ＬＣＤ表示部１８に表示されるアイコン３１を含まないタッチパネル２０の部位については、圧力が加えられる面積の大小によらず、入力操作の無効およびホールド機能ＯＮに係る判断を行うことができる。これにより、制御部２１Ａは、誤入力の原因となる事象が発生したときに、これを速やかに検出できる。
【００６５】
（本発明の第３の実施の形態に係る情報端末装置１Ｂについて）
本発明の第３の実施の形態に係る情報端末装置１Ｂを図８および図９を参照して説明する。図８は、情報端末装置１Ｂの外観図であると共に、その動作を説明するための図である。図９は、情報端末装置１Ｂの制御部２１Ｂ（不図示）の動作手順を示すフローチャートである。
【００６６】
なお、情報端末装置１Ｂの構成は、情報端末装置１の構成と同じである。よって、情報端末装置１Ｂの構成についての説明は省略する。ただし、制御部２１Ｂの動作は制御部２１の動作と異なる。
【００６７】
図８のアイコン３１−１，３１−２またはアイコン３１−３，３１−４は、並列入力が発生したタッチパネル２０の部位に対応するアイコン３１を示している。タッチパネル２０がユーザの鞄やポケット内で、比較的面積の狭い物品などによって圧迫される際に、図８のような隣接するアイコン３１−１，３１−２に対応するタッチパネル２０の部位が並行して操作されることがある。あるいは、タッチパネル２０がユーザの鞄やポケット内で、複数の物品などによって圧迫される際に、離れた位置にあるアイコン３１−３，３１−４に対応するタッチパネル２０の部位が並行して操作されることがある。あるいは、タッチパネル２０がユーザの鞄やポケット内で、複数の物品などによって圧迫される際に、４つのアイコン３１−１〜３１−４に対応するタッチパネル２０の部位が並行して操作されることがある。
【００６８】
また、通常のアイコン３１に対応するタッチパネル２０の部位の操作において、複数のアイコン３１に対応するタッチパネル２０の部位が並行して操作されることが無い場合には、アイコン３１−１，３１−２に対応するタッチパネル２０の部位またはアイコン３１−３，３１−４に対応するタッチパネル２０の部位がほぼ同じタイミングで操作される場合の他に、一方のアイコン（たとえば３１−１）に対応するタッチパネル２０の部位が操作されているときに、他方のアイコン（たとえば３１−２）に対応するタッチパネル２０の部位が遅れて操作されるような場合も制御部２１Ｂにおける入力操作の無効およびホールド機能ＯＮの判断材料としてよい。
【００６９】
また、通常のアイコン３１に対応するタッチパネル２０の部位の操作において、一方のアイコン３１に対応するタッチパネル２０の部位が操作されているときに、他方のアイコン３１に対応するタッチパネル２０の部位が操作されることが有る場合には、この通常操作と区別するために、２つのアイコン３１に対応するタッチパネル２０の部位がほぼ同じタイミングで操作される場合に限定して制御部２１Ｂにおける入力操作の無効およびホールド機能ＯＮの判断材料とすることが好ましい。
【００７０】
たとえば、シフトキーに相当するアイコン３１に対応するタッチパネル２０の部位を操作しながら他のキーに相当するアイコン３１に対応するタッチパネル２０の部位を操作するといったアイコン３１に対応するタッチパネル２０の部位の並行操作がある場合、制御部２１Ｂは、２つのアイコン３１に対応するタッチパネル２０の部位がほぼ同じタイミングで操作された場合に限り、入力操作の無効およびホールド機能ＯＮにする。なお、「ほぼ同時」とは、たとえば１つのアイコン３１に対応するタッチパネル２０の部位が操作されてから所定時間（たとえば０．５秒）以内に他のアイコン３１に対応するタッチパネル２０の部位が操作されるような場合を含むようにしてもよい。
【００７１】
このように、制御部２１Ｂは、ＬＣＤ表示部１８に表示される２以上のアイコン３１に対応するタッチパネル２０の部位からの並列入力を検出したときには、タッチパネル２０の入力を無効としてホールド機能をＯＮ状態にする。
【００７２】
制御部２１Ｂの動作手順を図９のフローチャートを参照して説明する。なお、図５のフローチャートと同一の動作手順（ＳＴＡＲＴ，ステップＳ１，Ｓ３，Ｓ４，Ｓ５）については説明を省略する。
【００７３】
ステップＳ２０：制御部２１Ｂは、複数のアイコン３１に対応するタッチパネル２０の部位からの並列入力があるか否かを判断する。すなわち、制御部２１Ｂは、複数のアイコン３１に対応するタッチパネル２０の部位から並列入力が無い場合（ステップＳ２０でＹｅｓ）、ステップＳ３の処理へ移行する。一方、制御部２１Ｂは、複数のアイコン３１に対応するタッチパネル２０の部位から並列入力が有る場合（ステップＳ２０でＮｏ）、ステップＳ４の処理へ移行する。
【００７４】
このように、制御部２１Ｂの動作では、２つ以上のアイコン３１に対応するタッチパネル２０の部位の並列入力の有無を認識するところが、制御部２１、２１Ａの動作と異なる。
【００７５】
（第３の実施の形態に係る効果について）
第３の実施の形態によれば、制御部２１Ｂでは、単にアイコン３１に対応するタッチパネル２０の部位の並列入力を検出している。言い換えると、制御部２１Ｂでは、アイコン３１に対応するタッチパネル２０の部位以外の部位についてのタッチパネル２０の入力については無効としている。このように、アイコン３１に対応するタッチパネル２０の部位以外の部位についてのタッチパネル２０の入力を無効とすることで、以下のような効果が生じる。
【００７６】
すなわち、タッチパネル２０で誤入力が発生する直接の原因となる部位は、アイコン３１に対応するタッチパネル２０の部位のみである。よって、アイコン３１に対応するタッチパネル２０の部位以外に圧力が加わったとしてもそれは誤入力発生の直接の原因にはならない。したがって、制御部２１Ｂは、アイコン３１の並列入力に限定して入力操作の無効およびホールド機能ＯＮを判断する。
【００７７】
これにより、制御部２１Ｂは、誤入力とは無関係なタッチパネル２０の部位を判断材料から排除できる。よって、制御部２１Ｂは、無意味に入力操作の無効およびホールド機能ＯＮになることを回避できる。
【００７８】
（本発明の第４の実施の形態に係る情報端末装置１Ｃについて）
本発明の第４の実施の形態に係る情報端末装置１Ｃを図１０および図１１を参照して説明する。図１０は、情報端末装置１Ｃの要部構成図である。図１１は、情報端末装置１Ｃの制御部２１Ｃ（不図示）の動作手順を示すフローチャートである。
【００７９】
情報端末装置１Ｃの構成は、図１０に示すように、ＬＣＤ表示部１８の裏面に圧力センサ７０，７１を備えている。この圧力センサ７０，７１は、図１のセンサ部１１に備えられているセンサの１つとすることができる。よって、情報端末装置１Ｃの構成については、情報端末装置１の構成と同じである。ただし、制御部２１Ｃの動作は、制御部２１の動作と異なる。
【００８０】
制御部２１Ｃの動作手順を図１１のフローチャートを参照して説明する。なお、図５のフローチャートと同一の動作手順（ＳＴＡＲＴ，ステップＳ１，Ｓ３，Ｓ４，Ｓ５）については説明を省略する。
【００８１】
ステップＳ３０：制御部２１Ｃは、圧力センサ７０，７１の検出した圧力が所定値以下の圧力か否かを判断する。すなわち、制御部２１Ｃは、圧力センサ７０，７１の検出した圧力が所定値以下の圧力である場合（ステップＳ３０でＹｅｓ）、ステップＳ３の処理へ移行する。一方、制御部２１Ｃは、圧力センサ７０，７１の検出した圧力が所定値を超えている場合（ステップＳ３０でＮｏ）、ステップＳ４の処理へ移行する。なお、ステップＳ３０における「以下」を「未満」に置き換え「超える」を「以上」に置き換えてもよい。
【００８２】
なお、上述した「圧力の所定値」とは、タッチパネル２０に対してユーザの通常の操作による圧力を超える圧力の値である。また、ユーザの通常の操作による圧力を超える圧力の値をどの程度に設定するかは様々であるが、たとえばユーザがタッチパネル２０に触れる場合、通常、人指し指一本で軽く触れる程度の圧力である。しかしながら、この圧力を少しでも超える圧力を上述の「所定値」に設定してしまうと、ごく僅かな圧力でもホールド機能がＯＮ状態となってしまい、これでは返ってユーザの利便性を損なう場合がある。よって、上述の「所定値」は比較的大きな値とすることが好ましい。
【００８３】
このように、制御部２１Ｃの動作では、ＬＣＤ表示部１８の裏面に備えられた圧力センサ７０，７１の検出した圧力値に応じて入力操作の無効およびホールド機能ＯＮにしている。
【００８４】
（第４の実施の形態に係る効果について）
第４の実施の形態によれば、制御部２１Ｃは、タッチパネル２０に対してユーザの通常の操作による圧力を超える圧力がかかったことを受けてホールド機能をＯＮ状態にすることができる。この際、制御部２１Ｃは、アイコン３１の位置やタッチパネル２０に圧力が加えられる面積などには一切関わり無く、タッチパネル２０に加えられる圧力値の大小のみを判断する。これにより、制御部２１Ｃは、誤入力となる事象の発生を高い精度で判断することができる。
【００８５】
（プログラムに係る実施の形態について）
情報端末装置１，１Ａ，１Ｂ，１Ｃの制御部２１，２１Ａ，２１Ｂ，２１Ｃは、所定のプログラムにより動作する汎用の情報処理装置（ＣＰＵ(Central Processing Unit)、ＤＳＰ(Digital Signal
Processor)、マイクロプロセッサ（マイクロコンピュータ）など）によって構成されてもよい。例えば、汎用の情報処理装置は、メモリ、ＣＰＵ、入出力ポートなどを有する。汎用の情報処理装置のＣＰＵは、メモリなどから所定のプログラムとして制御プログラムを読み込んで実行する。これにより、汎用の情報処理装置には、情報端末装置１，１Ａ，１Ｂ，１Ｃの制御部２１，２１Ａ，２１Ｂ，２１Ｃの機能が実現される。また、その他の機能についてもソフトウェアにより実現可能な機能については汎用の情報処理装置とプログラムとによって実現することができる。
【００８６】
なお、汎用の情報処理装置が実行する制御プログラムは、情報端末装置１，１Ａ，１Ｂ，１Ｃの出荷前に、汎用の情報処理装置のメモリなどに記憶されたものであっても、情報端末装置１，１Ａ，１Ｂ，１Ｃの出荷後に、汎用の情報処理装置のメモリなどに記憶されたものであってもよい。また、制御プログラムの一部が、情報端末装置１，１Ａ，１Ｂ，１Ｃの出荷後に、汎用の情報処理装置のメモリなどに記憶されたものであってもよい。情報端末装置１，１Ａ，１Ｂ，１Ｃの出荷後に、汎用の情報処理装置のメモリなどに記憶される制御プログラムは、例えば、ＣＤ−ＲＯＭなどのコンピュータ読取可能な記録媒体に記憶されているものをインストールしたものであっても、インターネットなどの伝送媒体を介してダウンロードしたものをインストールしたものであってもよい。
【００８７】
また、制御プログラムは、汎用の情報処理装置によって直接実行可能なものだけでなく、ハードディスクなどにインストールすることによって実行可能となるものも含む。また、圧縮されたり、暗号化されたりしたものも含む。
【００８８】
（プログラムに係る実施の形態の効果について）
このように、汎用の情報処理装置とプログラムによって情報端末装置１，１Ａ，１Ｂ，１Ｃの機能を実現することにより、大量生産や仕様変更（または設計変更）に対して柔軟に対応可能となる。
【００８９】
（その他の実施の形態）
上述の実施の形態は、その要旨を逸脱しない限り、様々に変更が可能である。たとえば第１〜第４の実施の形態で説明した制御部２１，２１Ａ，２１Ｂ，２１Ｃの機能を全て組み合わせて有する制御部２１Ｄを備えるようにしてもよい。この場合、制御部２１，２１Ａ，２１Ｂ，２１Ｃの機能のいずれかをユーザが要求に応じて切り替えるようにしてもよい。あるいは、制御部２１，２１Ａ，２１Ｂ，２１Ｃの機能の組合せをユーザが要求に応じて設定できるようにしてもよい。
【００９０】
また、上述の実施の形態で例示した情報端末装置１，１Ａ，１Ｂ，１Ｃの外観についてはこれに限定されるものではない。すなわち、複数のアイコンを有するあらゆる情報端末装置において、上述した実施の形態の説明を適用することができる。
【００９１】
また、第２の実施の形態では、制御部２１Ａは、ＬＣＤ表示部１８に表示されるアイコン３１に対応するタッチパネル２０の部位を含まない部位からの入力を検出したときには、タッチパネル２０の入力操作の無効およびホールド機能ＯＮにするとして説明した。しかしながら、ユーザがアイコン３１に対応するタッチパネル２０の部位を操作する際に、ユーザの指が、アイコン３１が表示されていない部分にもはみ出して操作してしまうことも有り得る。このような場合を想定し、第２の実施の形態においても第１の実施の形態と同様に、アイコン３１を一部に含む範囲５１，５２については、アイコン３１を含まない面積がどの程度であるかを制御部２１Ａの判断材料に加えてもよい。
【００９２】
また、第４の実施の形態では、圧力センサ７０，７１によって、タッチパネル２０に加わる圧力を検出すると説明したが、これに代えて、ＬＣＤ表示部１８またはタッチパネル２０の歪を検出する歪センサ（ロードセルなど）を備え、圧力の代わりに歪度合いを検出してもよい。
【００９３】
また、情報端末装置１Ａ，１Ｂ，１Ｃはホールド機能を有するものとし、図５、図７、図９、図１１のフローチャートでは、ステップＳ４で「入力操作無効」としてからステップＳ５で「ホールド機能ＯＮ」とした。
【００９４】
これに対し、情報端末装置１Ａ，１Ｂ，１Ｃはホールド機能を有さず、ステップＳ５の「ホールド機能ＯＮ」の処理を行わないものとしてもよい。この場合、ステップＳ４の「入力操作無効」の処理が実行されたときには、情報端末装置１，１Ａ，１Ｂ，１Ｃの電源スイッチをいったんＯＦＦ状態に操作し、その後、電源スイッチを再びＯＮ状態に操作する。これによってステップＳ４の「入力操作無効」の処理がリセットされる。これにより、ホールド機能を有さない情報端末装置１Ａ，１Ｂ，１Ｃであっても電源スイッチのＯＮ／ＯＦＦ操作によりホールド機能を有する場合と同様の操作を行うことができる。
【符号の説明】
【００９５】
１，１Ａ，１Ｂ，１Ｃ…情報端末装置、１０…通信部、１１…センサ部、１２…可搬型記憶媒体収容部、１３…一時記憶部、１４…音声コーデック部、１５…音声入力端子、１６…音声出力端子、１７…データ格納部、１８…ＬＣＤ表示部、１９…ホールドスイッチ、２０…タッチパネル、２１，２１Ａ，２１Ｂ，２１Ｃ…制御部（入力制限部）、３０…情報表示部、３１…アイコン、７０，７１…圧力センサ
【図１】
2011002891.tif 000003
【図２】
2011002891.tif 000004
【図３】
2011002891.tif 000005
【図４】
2011002891.tif 000006
【図５】
2011002891.tif 000007
【図６】
2011002891.tif 000008
【図７】
2011002891.tif 000009
【図８】
2011002891.tif 000010
【図９】
2011002891.tif 000011
【図１０】
2011002891.tif 000012
【図１１】
2011002891.tif 000013